【手続補正書】
【提出日】平成30年1月19日(2018.1.19)
【手続補正１】
【補正対象書類名】明細書
【補正対象項目名】０００７
【補正方法】変更
【補正の内容】
【０００７】
上述した課題を解決するために本発明は、
所定の撮影間隔で撮影を繰り返し実行するインターバル撮影機能を備える撮影装置であって、
手動又は自動によりフォーカス位置を調整するフォーカス調整手段と、
前記フォーカス調整手段によって調整されたフォーカス位置を、前記インターバル撮影期間中に使用するフォーカス位置として設定するフォーカス位置設定手段と、
インターバル撮影期間中であって、前記フォーカス位置設定手段によってフォーカス位置が設定されている状態で、所定のユーザ操作により前記フォーカス調整手段によるフォーカス調整の実行を指示する指示手段と、
前記指示手段による指示に応じて、前記フォーカス位置設定手段により設定されているフォーカス位置を、前記フォーカス調整手段により調整される新たなフォーカス位置に再設定する制御を行うフォーカス調整制御手段と、を備え、
前記フォーカス調整制御手段は、次の撮影までの時間に基づいて、前記フォーカス調整手段によるフォーカス調整の実行を許可する許可状態、又は前記フォーカス調整手段によるフォーカス調整の実行を制限する制限状態、のいずれかの状態となるように制御する、
ことを特徴とする。
【手続補正２】
【補正対象書類名】特許請求の範囲
【補正対象項目名】全文
【補正方法】変更
【補正の内容】
【特許請求の範囲】
【請求項１】
所定の撮影間隔で撮影を繰り返し実行するインターバル撮影機能を備える撮影装置であって、
手動又は自動によりフォーカス位置を調整するフォーカス調整手段と、
前記フォーカス調整手段によって調整されたフォーカス位置を、前記インターバル撮影期間中に使用するフォーカス位置として設定するフォーカス位置設定手段と、
インターバル撮影期間中であって、前記フォーカス位置設定手段によってフォーカス位置が設定されている状態で、所定のユーザ操作により前記フォーカス調整手段によるフォーカス調整の実行を指示する指示手段と、
前記指示手段による指示に応じて、前記フォーカス位置設定手段により設定されているフォーカス位置を、前記フォーカス調整手段により調整される新たなフォーカス位置に再設定する制御を行うフォーカス調整制御手段と、を備え、
前記フォーカス調整制御手段は、次の撮影までの時間に基づいて、前記フォーカス調整手段によるフォーカス調整の実行を許可する許可状態、又は前記フォーカス調整手段によるフォーカス調整の実行を制限する制限状態、のいずれかの状態となるように制御する、
ことを特徴とする撮影装置。
【請求項２】
前記フォーカス位置設定手段は、前記インターバル撮影機能によるインターバル撮影の開始時に、前記フォーカス調整手段によって調整されたフォーカス位置を、前記インターバル撮影期間中に使用するフォーカス位置として設定する、
ことを特徴とする請求項１に記載の撮影装置。
【請求項３】
前記次の撮影までの時間は、予め設定されている前記撮影間隔であり、
前記フォーカス調整制御手段は、前記撮影間隔に基づいて前記許可状態又は前記制限状態のいずれかの状態となるように制御する、
ことを特徴とする請求項1又は２に記載の撮影装置。
【請求項４】
前記フォーカス調整制御手段は、前記撮影間隔と所定の閾値とを比較し、その比較結果に基づいて前記許可状態又は前記制限状態のいずれかの状態となるように制御する、
ことを特徴とする請求項３に記載の撮影装置。
【請求項５】
前記所定のユーザ操作が行われた時点から次の撮影を開始するまでの残り時間を計測する第１の計測手段を更に備え、
前記次の撮影までの時間は、前記第１の計測手段によって計測された残り時間であり、
前記フォーカス調整制御手段は、前記第１の計測手段によって計測された残り時間に基づいて、前記許可状態又は前記制限状態のいずれかの状態となるように制御する、
ことを特徴とする請求項１又は２に記載の撮影装置。
【請求項６】
前記フォーカス調整制御手段は、前記第１の計測手段によって計測された残り時間と所定の閾値とを比較し、その比較結果に基づいて前記許可状態又は前記制限状態のいずれかの状態となるように制御する、
ことを特徴とする請求項５に記載の撮影装置。
【請求項７】
前記所定の閾値は、第１の閾値と、当該第１の閾値とは異なる第２の閾値とからなり、
前記制限状態は、前記フォーカス調整手段の手動及び自動によるフォーカス調整の実行を制限する第１の制御状態と、前記フォーカス調整手段の自動によるフォーカス調整を許可し手動によるフォーカス調整の実行を制限する第２の制限状態とからなり、
前記フォーカス調整制御手段は、前記次の撮影までの時間と、前記第１の閾値及び前記第２の閾値とを比較して、前記制限状態が、前記第１の制限状態又は前記第２の制限状態のいずれかの状態となるように制御する、
ことを特徴とする請求項４又は６に記載の撮影装置。
【請求項８】
前記フォーカス調整制御手段は、次の撮影までの時間が短くなると、前記許可状態から前記制限状態に変化するように制御する、
ことを特徴とする請求項１乃至７のいずれか１項に記載の撮影装置。
【請求項９】
前記制限状態を報知する報知手段を更に備える、
ことを特徴とする請求項１乃至７のいずれか１項に記載の撮影装置。
【請求項１０】
前記第１の閾値は、前記第２の閾値よりも短い時間であって、
前記フォーカス調整制御手段は、前記次の撮影までの時間が、前記第１の閾値以下の場合は、前記第１の制限状態となるように制御する一方、前記第１の閾値より長く前記第２の閾値以下の場合は、前記第２の制限状態となるように制御する、
ことを特徴とする請求項７に記載の撮影装置。
【請求項１１】
前記第１の制限状態と、前記第２の制限状態とを識別可能に報知する報知手段を更に備える、
ことを特徴とする請求項７又は１０に記載の撮影装置。
【請求項１２】
ライブビュー画像をモニタ表示する表示手段と、
前記表示手段の点灯、消灯を制御する表示制御手段と、
を更に備え、
前記表示制御手段は、前記表示手段を消灯させている前記インターバル撮影機能によるインターバル撮影期間中に前記所定のユーザ操作でフォーカス調整の実行が指示された際に前記表示手段を点灯させる、
ことを特徴とする請求項１乃至１１のいずれか１項に記載の撮影装置。
【請求項１３】
前記インターバル撮影機能によるインターバル撮影期間中における次回の撮影を開始するまでの残り時間を計測する第２の計測手段を更に備え、
前記表示制御手段は、前記表示手段を点灯させている状態において、前記第２の計測手段により計測された残り時間を前記表示手段に表示させる制御を行う、
ことを特徴とする請求項１２に記載の撮影装置。
【請求項１４】
前記表示制御手段は、前記表示手段を消灯させている前記インターバル撮影機能によるインターバル撮影期間中に前記所定のユーザ操作で前記フォーカス調整の実行が指示された際に、前記フォーカス調整制御手段によってその実行が制限されていれば、前記表示手段の消灯を維持する制御を行う、
ことを特徴とする請求項１２に記載の撮影装置。
【請求項１５】
前記インターバル撮影機能によるインターバル撮影期間中のうち、インターバル撮影時に連動して前記フォーカス調整手段の自動による自動調整が行われる連動期間を指定する指定手段を更に備え、
前記フォーカス位置設定手段は、前記指定手段によって指定された連動期間の最後の前記インターバル撮影時に前記フォーカス調整手段によって自動調整されたフォーカス位置を、前記インターバル撮影期間中に使用するフォーカス位置として設定する、
ことを特徴とする請求項１乃至１４のいずれか１項に記載の撮影装置。
【請求項１６】
所定の撮影間隔で撮影を繰り返し実行するインターバル撮影機能を備える撮影装置におけるフォーカス制御方法であって、
手動又は自動によりフォーカス位置を調整する処理と、
前記調整されたフォーカス位置を、前記インターバル撮影期間中に使用するフォーカス位置として設定する処理と、
インターバル撮影期間中であって、前記フォーカス位置が設定されている状態で、所定のユーザ操作によりフォーカス調整の実行を指示する処理と、
前記指示に応じて、前記設定されているフォーカス位置を、前記調整される新たなフォーカス位置に再設定する制御を行う処理と、を含み、
次の撮影までの時間に基づいて、前記フォーカス調整手段によるフォーカス調整の実行を許可する許可状態、又は前記フォーカス調整手段によるフォーカス調整の実行を制限する制限状態、のいずれかの状態となるように制御する、
ことを特徴とするフォーカス制御方法。
【請求項１７】
所定の撮影間隔で撮影を繰り返し実行するインターバル撮影機能を備える撮影装置のコンピュータに対して、
手動又は自動によりフォーカス位置を調整する機能と、
前記調整されたフォーカス位置を、前記インターバル撮影期間中に使用するフォーカス位置として設定する機能と、
インターバル撮影期間中であって、前記フォーカス位置が設定されている状態で、所定のユーザ操作によりフォーカス調整の実行を指示する機能と、
前記指示に応じて、前記設定されているフォーカス位置を、前記調整される新たなフォーカス位置に再設定する制御を行い、次の撮影までの時間に基づいて、前記フォーカス調整手段によるフォーカス調整の実行を許可する許可状態、又は前記フォーカス調整手段によるフォーカス調整の実行を制限する制限状態、のいずれかの状態となるように制御する機能と、
を実現させるためのプログラム。